(57)【要約】【課題】より少ない手数で装着でき、特に、男性性器を包んで装着し易く、シール性が高く、また、男性性器に対してずれにくく、更に、ずれたとしても尿の漏れの少ない失禁パッド、尿パッド等の吸収性物品を提供する。【解決手段】吸収性物品は、透液性のトップシート１と、バックシート２と、トップシート１とバックシート２の間に介在される吸収体３とから成り、カバーシート５が着脱自在に貼られた粘着部６が、トップシート１の表面１ａ、１ｂに設けられる。折り畳み時に長手方向の中心部１０における隙間がなく、シール性が高く漏れがない。また、図示されない男性器を包んで装着し易く、男性器に対してずれにくい。【選択図】図１
2005279081.tif 000002
【特許請求の範囲】
【請求項１】
透液性のトップシートと、
バックシートと、
前記トップシートと前記バックシートの間に介在される吸収体と、から成り、
カバーシートが着脱自在に貼られた粘着部が、前記トップシートの表面に設けられることを特徴とする吸収性物品。
【請求項２】
立体ギャザーは、前記吸収体の長手方向両側縁近傍において前記長手方向に沿って前記バックシートを覆うように配置され、
前記バックシートは、前記立体ギャザーの幅方向に巻き込まれる請求項１記載の吸収性物品。
【請求項３】
前記粘着部は、一方の縁の前記立体ギャザーの表面あるいは前記両側縁の前記立体ギャザーの表面に設けられる請求項２記載の吸収性物品。
【請求項４】
前記粘着部は、前記立体ギャザーの全長に亘る表面あるいは前記立体ギャザーの部分に亘る表面に設けられる請求項２記載の吸収性物品。
【請求項５】
前記粘着部は、前記トップシートの表面に設けられる代わりに、前記立体ギャザーの表面に設けられる請求項２記載の吸収性物品。
【発明の詳細な説明】
【技術分野】
【０００１】
本発明は、使い捨て失禁パッド、尿パッド等の吸収性物品に関する。
【背景技術】
【０００２】
従来、例えば、特開平５−１３７７４４号公報（特許文献１）で、装着を容易にするための粘着部をバックシートの表面に設け、男性性器に対して粘着剤で直接貼り付けて固定するものが提案されている。  
【特許文献１】特開平５−１３７７４４号公報
【発明の開示】
【発明が解決しようとする課題】
【０００３】
そこで、本発明は、より少ない手数で装着でき、特に、男性性器を包んで装着し易く、シール性が高く、また、男性性器に対してずれにくく、さらに、ずれたとしても尿の漏れの少ない失禁パッド、尿パッド等の吸収性物品を提供することを目的とする。
【課題を解決するための手段】
【０００４】
請求項１の本発明は、透液性のトップシートと、
バックシートと、
前記トップシートと前記バックシートの間に介在される吸収体と、から成り、
カバーシートが着脱自在に貼られた粘着部が、前記トップシートの表面に設けられることを特徴とする吸収性物品である
【０００５】
請求項２の本発明は、立体ギャザーは、前記吸収体の長手方向両側縁近傍において前記長手方向に沿って前記バックシートを覆うように配置され、
前記バックシートは、前記立体ギャザーの幅方向に巻き込まれる請求項１記載の吸収性物品である。
【０００６】
請求項３の本発明は、前記粘着部は、一方の縁の前記立体ギャザーの表面あるいは前記両側縁の前記立体ギャザーの表面に設けられる請求項２記載の吸収性物品である。
【０００７】
請求項４の本発明は、前記粘着部は、前記立体ギャザーの全長に亘る表面あるいは前記立体ギャザーの部分に亘る表面に設けられる請求項２記載の吸収性物品である。
【０００８】
請求項５の本発明は、前記粘着部は、前記トップシートの表面に設けられる代わりに、前記立体ギャザーの表面に設けられる請求項２記載の吸収性物品である。
【発明の効果】
【０００９】
請求項１の本発明によれば、図１、図２に示されるように、透液性のトップシート1と、
バックシート２と、
トップシート１とバックシート２の間に介在される吸収体３と、から成り、
カバーシート５が着脱自在に貼られた粘着部６が、トップシート１の表面１ａ、１ｂに設けられる。
このため、装着対象者の体形、図示されない男性器の位置、排尿時の姿勢等に対応できる種々の形態に自在に形成することができる。男性器を包んで装着し易く、男性器に対してズレにくい。又、万一ズレたとしても、シール性が高く尿の漏れを防止できる。又、男性器への装着がより少ない手数で可能となる。
【００１０】
請求項２の本発明によれば、図１〜図６に示されるように、立体ギャザー４は、吸収体３の長手方向両側縁近傍において長手方向に沿ってバックシート２を覆うように配置され、図２、図４、図６に示されるように、バックシート２は立体ギャザー４の幅方向に巻き込まれる。
このため、装着対象者の体形、図示されない男性器の位置、排尿時の姿勢等に対応できる種々の形態に自在に形成することができる。男性器を包んで装着し易く、男性器に対してズレにくい。又、万一ズレたとしても、シール性が高く尿の漏れを防止できる。又、男性器への装着がより少ない手数で可能となる。
【００１１】
請求項３の本発明によれば、図３〜図６に示されるように、粘着部６は、一方の縁７ａの立体ギャザー４の表面４ａあるいは両側縁７ａ、７ｂの立体ギャザー４の表面４ａ、４ｂに設けられる。図５に示されるように、両側の立体ギャザー４の表面に設けられる場合は、男性器の付け根を粘着部と貼り合わせて装着、使用することができる。
このため、装着対象者の体形、図示されない男性器の位置、排尿時の姿勢等に対応できる種々の形態に自在に形成することができる。男性器を包んで装着し易く、男性器に対してズレにくい。又、万一ズレたとしても、シール性が高く尿の漏れを防止できる。又、男性器への装着がより少ない手数で可能となる。
【００１２】
請求項４の本発明によれば、図３、図５に示されるように、粘着部６は、立体ギャザー４の全長に亘る表面４ａ、４ｂあるいは立体ギャザー４の部分に亘る表面４ａ、４ｂに設けられる。
このため、装着対象者の体形、図示されない男性器の位置、排尿時の姿勢等に対応できる種々の形態に自在に形成することができる。男性器を包んで装着し易く、男性器に対してズレにくい。又、万一ズレたとしても、シール性が高く尿の漏れを防止できる。又、男性器への装着がより少ない手数で可能となる。
【００１３】
請求項５の本発明によれば、図３〜図６に示されるように、粘着部６は、トップシート１の表面１ａ、１ｂに設けられる代わりに、立体ギャザー４の表面４ａ、４ｂに設けられる。
【発明を実施するための最良の形態】
【００１４】
以下、本発明を、その実施例に基づいて、図面を参照して説明する。
【実施例１】
【００１５】
図１及び図２に示されるように、本発明の吸収性物品１１は、不織布等からなる透液性のトップシート１と、ポリエチレン等からなるバックシート２の間に、綿状パルプ等の吸収体３を介在させた構造である。
即ち、吸収性物品１１は、透液性のトップシート1と、不透液性あるいは撥水性のバックシート２と、トップシート１とバックシート２の間に介在される吸収体３と、吸収体３の長手方向両側縁近傍において長手方向に沿ってバックシート２を覆うように配置された立体ギャザー４と、から成り、バックシート２は立体ギャザー４の幅方向に巻き込まれ、カバーシート５が着脱自在に貼られた粘着部６が、トップシート１の表面１ａ、１ｂに設けられる。
【００１６】
吸収体３は、図１に示されるように、方形に成形されたものが使用されているが、着用状況に合わせて略砂時計形状のものも可能である。その幅寸法は股間部への当たりによって着用者にゴワ付き感を与えない寸法幅となっている。この吸収体３は、形状保持とトップシート１を透過した体液の拡散性向上のためにクレープ紙（図示せず）によって囲繞されている。
【００１７】
吸収体の表面側（肌当接面側）を覆うトップシート１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１に多数の透孔を形成した場合には、尿などが速やかに吸収されるようになりドライタッチ性に優れたものとなる。
図２に示されるように、トップシート１は、吸収体３の側縁より若干外方に延在し、この延在部分がバックシート２にホットメルト接着剤等により固着されている。
【００１８】
バックシート２は、図２に示されるように、吸収体３の裏面側（非肌当接面側）を覆い、さらに両側部が吸収性物品１１の表面側に巻き込まれ、立体ギャザー４の幅方向の途中の所定位置まで延在する。バックシート２の材質は、ポリエチレンまたはポリプロピレンなどのプラスチックシートなどが用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。又、不織布等の透液性のバックシートとすることで、パンツタイプ紙おむつや展開型紙おむつと併用することができる。
吸収性物品１１の表面側両側部には、トップシート１の側部を覆うとともに、バックシート２の側縁を超えてバックシート２を覆うように所定の幅位置まで延在する立体ギャザー４が配設されている。
次に、トップシート１の表面１ａ、１ｂに設けられる粘着部６に用いられる粘着剤は、吸収性物品１１が人体（肌）に直接貼り合わしても異常を生じない安全なものであれば良く、その成分等は限定されない。好適には、アクリル系粘着剤、ゴム系粘着剤、ゴム、樹脂、酸化亜鉛等を練り合わせた粘着剤が用いられる。
このため、図示されない男性器を包んで装着し易く、男性器に直接装着できるので特にズレにくい。又、男性器への装着が万一ずれたとしても、シール性が高いので尿の漏れを防止できる。又、装着対象者の体形、男性器の位置、排尿時の姿勢等に対応できる種々の形態に自在に形成することができる。更に、男性器への装着がより少ない手数で可能となる。
【実施例２】
【００１９】
図３及び図４に示されるように、本発明の吸収性物品１１は、不織布等からなる透液性のトップシート１と、ポリエチレン等からなるバックシート２の間に、綿状パルプ等の吸収体３を介在させた構造である。
即ち、吸収性物品１１は、透液性のトップシート1と、バックシート２と、トップシート１とバックシート２の間に介在される吸収体３と、吸収体３の長手方向両側縁近傍において長手方向に沿ってバックシート２を覆うように配置された立体ギャザー４と、から成り、バックシート２は立体ギャザー４の幅方向に巻き込まれ、カバーシート５が着脱自在に貼られた粘着部６が、一方の縁７ａの立体ギャザー４の長手方向のほぼ全長に亘る表面４ａに設けられる。
【００２０】
吸収体３は、図３及び図４に示されるように、方形に成形されたものが使用されているが、着用状況に合わせて略砂時計形状のものも可能である。その幅寸法は股間部への当たりによって着用者にゴワ付き感を与えない寸法幅となっている。この吸収体３は、形状保持とトップシート１を透過した体液の拡散性向上のためにクレープ紙（図示せず）によって囲繞されている。
【００２１】
吸収体の表面側（肌当接面側）を覆うトップシート１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１に多数の透孔を形成した場合には、尿などが速やかに吸収されるようになりドライタッチ性に優れたものとなる。
トップシート１は、吸収体３の側縁より若干外方に延在し、この延在部分がバックシート２にホットメルト接着剤等により固着されている。
【００２２】
バックシート２は、図４に示されるように、吸収体３の裏面側（非肌当接面側）を覆い、さらに両側部が吸収性物品１１の表面側に巻き込まれ、立体ギャザー４の幅方向の途中の所定位置まで延在する。バックシート２の材質は、ポリエチレンまたはポリプロピレンなどのプラスチックシートなどが用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。又、不織布等の透液性のバックシートとすることで、パンツタイプ紙おむつや展開型紙おむつと併用することができる。
吸収性物品１１の表面側両側部には、トップシート１の側部を覆うとともに、バックシート２の側縁を超えてバックシート２を覆うように所定の幅位置まで延在する立体ギャザー４が配設されている。
【００２３】
次に、粘着部６に用いられる粘着剤は、吸収性物品１１が人体（肌）に直接貼り合わしても異常を生じない安全なものであれば良く、その成分等は限定されない。好適には、アクリル系粘着剤、ゴム系粘着剤、ゴム、樹脂、酸化亜鉛等を練り合わせた粘着剤が用いられる。
装着方法は、図７に示されるように、先ず、吸収性物品１１の長手方向のほぼ中央部１０を境にして、長手方向の前端部８を表面側に起立させ、折り畳んだ稜線１２が中央部１０を基点に開角を成すように折り畳む。次に、図８に示されるように、同様に、中央部１０を境にして、長手方向の後端部９を表面側に起立させ、縁部（線）７ａが稜線１２に重なるように折り畳み、カバーシート５を剥がして粘着部６を圧着して固定する。これにより、中央部１０を中心にした漏斗状の形状が形成される。次に、漏斗状の吸収性物品１１の開口部を男性器に当てがい確実に保持をして排尿を行う。若し、装着対象者が自ら保持できない場合には、漏斗状の吸収性物品１１を人体又は衣服の一部に直接貼り付けて使用する。この場合には、粘着部６及びカバーシート５を吸収性物品１１の図示されない裏面のバックシートの所定位置に予め設けておく。
【００２４】
更に、本発明は、本実施例に必ずしも限定されない。即ち、カバーシート５が着脱自在に貼られた粘着部６が、一方の縁７ａの立体ギャザー４の長手方向の部分に亘る表面４ａに設けられる。又、更に、一方の縁７ａの立体ギャザー４の長手方向の他の部分に亘る表面４ａに面ファスナー（マジックテープ等）の接合手段が設けられる。この場合には、表面４ａにはオス材を貼り、図示されないバックシート２側にはメス材が貼られる。又、バックシートが不織布の場合、任意の位置でオス材とバックシートが係合できる。
このため、図示されない男性器を包んで装着し易く、男性器に対してズレにくい。又、男性器への装着が万一ずれたとしても、シール性が高いので尿の漏れを防止できる。
装着対象者の体形、男性器の位置、排尿時の姿勢等に対応できる種々の形態に自在に形成することができる。又、男性器への装着がより少ない手数で可能となる。
【実施例３】
【００２５】
図５及び図６に示されるように、本発明の吸収性物品１１は、不織布等からなる透液性のトップシート１と、ポリエチレン等からなるバックシート２の間に、綿状パルプ等の吸収体３を介在させた構造である。
即ち、吸収性物品１１は、透液性のトップシート1と、バックシート２と、トップシート１とバックシート２の間に介在される吸収体３と、吸収体３の長手方向両側縁近傍において長手方向に沿ってバックシート２を覆うように配置された立体ギャザー４と、から成り、バックシート２は立体ギャザー４の幅方向に巻き込まれ、カバーシート５が着脱自在に貼られた粘着部６が、両側縁７ａ、７ｂの立体ギャザー４の長手方向のほぼ全長に亘る表面４ａ、４ｂに設けられる。
【００２６】
吸収体３は、図５に示されるように、方形に成形されたものが使用されているが、着用状況に合わせて略砂時計形状のものも可能である。その幅寸法は股間部への当たりによって着用者にゴワ付き感を与えない寸法幅となっている。この吸収体３は、形状保持とトップシート１を透過した体液の拡散性向上のためにクレープ紙（図示せず）によって囲繞されている。
【００２７】
吸収体の表面側（肌当接面側）を覆うトップシート１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１に多数の透孔を形成した場合には、尿などが速やかに吸収されるようになりドライタッチ性に優れたものとなる。
図６に示されるように、トップシート１は、吸収体３の側縁より若干外方に延在し、この延在部分がバックシート２にホットメルト接着剤等により固着されている。
【００２８】
バックシート２は、図６に示されるように、吸収体３の裏面側（非肌当接面側）を覆い、さらに両側部が吸収性物品１１の表面側に巻き込まれ、立体ギャザー４の幅方向の途中の所定位置まで延在する。バックシート２の材質は、ポリエチレンまたはポリプロピレンなどのプラスチックシートなどが用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。又、不織布等の透液性のバックシートとすることで、パンツタイプ紙おむつや展開型紙おむつと併用することができる。
吸収性物品１１の表面側両側部には、トップシート１の側部を覆うとともに、バックシート２の側縁を超えてバックシート２を覆うように所定の幅位置まで延在する立体ギャザー４が配設されている。
次に、粘着部６に用いられる粘着剤は、吸収性物品１１が人体（肌）に直接貼り合わしても異常を生じない安全なものであれば良く、その成分等は限定されない。好適には、アクリル系粘着剤、ゴム系粘着剤、ゴム、樹脂、酸化亜鉛等を練り合わせた粘着剤が用いられる。
【００２９】
装着方法は、図７に示されるように、先ず、吸収性物品１１の長手方向のほぼ中央部１０を境にして、長手方向の前端部８を表面側に起立させ、折り畳んだ稜線１２が中央部１０を基点に開角を成すように折り畳む。次に、図８に示されるように、同様に、中央部１０を境にして、長手方向の後端部９を表面側に起立させ、縁部（線）７ａが稜線１２に重なるように折り畳み、カバーシート５を剥がして粘着部６を圧着して固定する。これにより、中央部１０を中心にした漏斗状の形状が形成される。次に、漏斗状の吸収性物品１１の開口部を図示されない男性器に当てがい、男性器の付け根を表面４ｂに設けられる粘着部６と直接貼り合わせて確実に保持をして排尿を行うことができる。若し、これだけで保持が十分でない場合には、漏斗状の吸収性物品１１を人体の他の部分又は衣服の一部に貼り付けて使用する。この場合には、粘着部６及びカバーシート５を吸収性物品１１の図示されない裏面のバックシートの所定位置に予め設けておく。
【００３０】
更に、本発明は、本実施例に必ずしも限定されない。即ち、カバーシート５が着脱自在に貼られた粘着部６が、両側縁７ａ、７ｂの立体ギャザー４の長手方向の部分に亘る表面４ａ、４ｂに設けられる。又、更に、両側縁７ａ、７ｂの立体ギャザー４の長手方向の他の部分に亘る表面４ａ、４ｂに面ファスナー（マジックテープ等）の接合手段が設けられる。この場合には、表面４ａ、４ｂにはオス材を貼り、図示されないバックシート２（裏面）側の相当位置にはメス材が貼られる。又、バックシートが不織布の場合、任意の位置でオス材とバックシートが係合できる。
このため、図示されない男性器を包んで装着し易く、男性器に直接装着できるので特にズレにくい。又、男性器への装着が万一ずれたとしても、シール性が高いので尿の漏れを防止できる。又、装着対象者の体形、男性器の位置、排尿時の姿勢等に対応できる種々の形態に自在に形成することができる。更に、男性器への装着がより少ない手数で可能となる。
本発明は、以上述べた実施例１〜３に必ずしも限定されるものでなく、配設される粘着部６の材質、形状寸法、位置、数量等は、種々の組み合わせを採用することが可能であり、これに対応したバックシート２（裏面側）への接合手段の選択も同様である。
【産業上の利用可能性】
【００３１】
本発明は、男性器に装着時にずれにくく、シール性が高く尿の漏れを防止できる失禁パッド、尿パッド等の吸収性物品であり、装着の形態、排尿姿勢等に応じた形態で自在に着脱可能で、装着対象者も大人用からベビー用までのいずれにも適用可能である。特に、寝たきり高齢者、障害者に対して利用効果が大きい。
【図面の簡単な説明】
【００３２】
【図１】本発明の吸収性物品の実施例１の斜視図である。
【図２】図１のＡＡ視断面図である。
【図３】本発明の吸収性物品の実施例２の斜視図である。
【図４】図３のＢＢ視断面図である。
【図５】本発明の吸収性物品の実施例３の斜視図である。
【図６】図５のＣＣ視断面図である。
【図７】本発明の吸収性物品の実施例２〜３の装着状態の説明図である。
【図８】本発明の吸収性物品の実施例２〜３の装着状態の説明図である。
【符号の説明】
【００３３】
１  トップシート        １ａ、１ｂ  トップシートの表面  
２  バックシート        ３  吸収体              ４  立体ギャザー        ４ａ、４ｂ  立体ギャザーの表面      ５  カバーシート  
６  粘着部              ７ａ、７ｂ  縁          ８  前端部                ９  後端部            １０  長手方向中央部    １１  吸収性物品
１２  稜線      
【図１】
2005279081.tif 000003
【図２】
2005279081.tif 000004
【図３】
2005279081.tif 000005
【図４】
2005279081.tif 000006
【図５】
2005279081.tif 000007
【図６】
2005279081.tif 000008
【図７】
2005279081.tif 000009
【図８】
2005279081.tif 000010